(57)【要約】【課題】 宝石等の装飾部材を固着した装飾体を、装飾本体から前記装飾体を着脱可能とし、また、装飾本体を、単体にて使用できる装身具の提供を目的とした。【解決手段】本発明は、装飾本体１と、装飾体２とを別個の構成体として両者の着脱を容易に行えるように構成した装身具２０において、ペンダント等の装飾本体１は、背面周縁部１２の適宜位置に切り欠き部９と、該切り欠き部９の途中に装飾体２の心棒部８の先端に設けた玉７を受ける座１０と、外部体６の絞り部１６を受ける座１１を設けて構成し、装飾体２は、両端に膨突した略球状の玉４、７を形成した心棒部８と、着脱の押し圧力を得るコイルスプリング５と、該コイルスプリング５と、前記心棒部８の玉４部分を収納する両端に絞り部１６、１７を有する筒状の外部体６と、該外部体６に、宝玉３等を固着して構成した。【選択図】図４
2005152495.tif 000002
【特許請求の範囲】
【請求項１】
装飾体を着脱自在に取り付け可能なペンダント、ブローチ、イヤリングの装飾本体と、該装飾本体に着脱可能な嵌合手段を有する装飾体とを別個の構成体として、両者の着脱を容易に行えるように構成した装身具において、
（１）ペンダント等の装飾本体１の着脱機構は、背面周縁部１２の適宜位置に切り欠き部９と、該切り欠き部９の途中に装飾体２の心棒部８の先端に設けた玉７を受ける座１０と、外部体６の絞り部１６を受ける座１１を設けて構成。
（２）装飾体２は、両端に膨突した略球状の玉４、７を形成した心棒部８と、着脱の押し圧力を得るコイルスプリング５と、該コイルスプリング５と、前記心棒部８の玉４の部分を収納する両端に絞り部１６、１７を有する筒状の外部体６に宝玉３等を固着して構成した。
以上からなるコイルスプリング５にて装飾本体１から装飾体２を着脱可能にしたことを特徴とした着脱機構有する装身具。
【請求項２】
装飾体を着脱自在に取り付け可能なペンダント、ブローチ、イヤリングの装飾本体と、該装飾本体に着脱可能な嵌合手段を有する装飾体とを別個の構成体として両者の着脱を容易に行えるように構成した装身具において、
（１）ペンダント等の装飾本体３０の着脱機構は、背面周縁部４０の下面に切り欠き部３７と、該切り欠き部３７の途中に装飾体３１の半球部３２を受ける座３９と、外部体３５の絞り部４３を受ける座３８を設けて構成。
（２）装飾体３１は、一端に膨突した略球状の玉３３と、対向端部に半球部３２を形成した心棒部３６と、着脱の押し圧力を得るコイルスプリング３４と、該コイルスプリング３４と前記心棒部３６の玉３３を収納する両端に絞り部４３、４４を有する筒状の外部体３５を形成し、前記半球部３２を装飾体縁部４５の適宜位置に固着して構成した。
以上からなるコイルスプリング３４にて装飾本体３０から装飾体３１を着脱可能にしたことを特徴とした着脱機構有する装身具。
【請求項３】
請求項１又は請求項２記載の発明において、前記装飾体の交換を可能とした着脱機構を有する装身具。
【請求項４】
請求項１又は請求項２記載の発明において、前記装飾体を前記装飾本体から取り外すことにより、装飾本体を単体にて使用可能とした着脱機構を有する装身具。
【発明の詳細な説明】
【技術分野】
【０００１】
本発明は、装飾体と装飾本体との構成からなるペンダント、ブローチ、イヤリングの装身具において、装飾本体から装飾体を脱着可能とした装身具に関するものである。
【背景技術】
【０００２】
ペンダント等の装飾本体に輪環を介して該装飾本体に装飾体を吊り下げる方法が一般的に多く用いられ、該装飾体を着脱する場合は熟練者に依存していた。前記熟練者に依存しなければならない欠点を解消する手段として、チャーム（装飾体）には、開閉式の連結部(a)を形成し、この開閉式の連結部を開いた状態で装飾本体の連結部(b)に引っかけ、且つ、前記連結部(a)を閉じることにより、チャーム（装飾体）が装飾本体に着脱可能に連結するものが知られている（例えば特許文献１参照。）。
【０００３】
また、装飾本体の背面に開口部を設け、該開口部に自重で閉止位置に保持される係止体を取り付けて開閉可能とし、開口部に別の装飾体の吊り下げアームをはめ込み、該開口部を係止体によって閉じて着脱を可能としたものも知られている（例えば特許文献２参照。）。
【０００４】
しかし、上記の何れの発明も装飾体を吊り下げるものであり、装飾本体と、装飾体との間隔が空いているために吊り下げアーム及び開閉式の連結部(a)、(b)が見え、全体の装飾的効果が損なわれる欠点が有った。
【０００５】
また、前記特許文献１の装飾本体とチャーム（装飾体）を連結する連結部が幾つか提案されているが、何れの前記連結部も実際には構造状ある程度の大きさが必要であり、それを踏まえると装飾本体とチャーム（装飾体）の大きさも必然と限られ、利用される頻度は少ないのが現状である。
【０００６】
また、前記特許文献２の吊り下げアームが着用中に変形することを解消させるためには太い径のアームを用いる必要が有り、装飾本体との全体のバランスが悪くデザインが損なわれる問題が有った。
【特許文献１】公開特許２０００−２７９２２０号広報
【特許文献２】公開特許２００２−３４２３１１号広報
【発明の開示】
【発明が解決しようとする課題】
【０００７】
上記を踏まえて解決しようとする問題点は、装飾本体と装飾体との間隔を無くし、装飾体の脱落の危険性を回避しつつ、装着者が自分の手で着脱が容易であるとともに、装飾本体を単体にて使用しても美観が損なわれること無く、さらに複数の種類の装飾本体に付け替えて使用することができる装身具を提供することを目的とした。
【課題を解決するための手段】
【０００８】
上記課題を解決するため、請求項１に記載した本発明に係わる着脱機構を有する装身具２０のペンダント等の装飾本体１は、背面周縁部１２の適宜位置に切り欠き部９と、該切り欠き部９の途中に装飾体２の心棒部８の先端に設けた玉７を受ける座１０と、外部体６の絞り部１６を受ける座１１を設けて構成し、装飾体２は、両端に膨突した略球状の玉４、７を形成した心棒部８と、着脱の押し圧力を得るコイルスプリング５と、該コイルスプリング５と、前記心棒部８の玉４部分を収納する両端に絞り部１６、１７を有する筒状の外部体６に、宝玉３等を固着して構成し、装飾本体１から装飾体２を着脱可能にした。
【０００９】
また、請求項２に記載した本発明に係わる着脱機構を有する装身具５０のペンダント等の装飾本体３０は、背面周縁部４０の下部に切り欠き部３７と、該切り欠き部３７の途中に装飾体３１の半球部３２を受ける座３９と、外部体３５の絞り部４３を受ける座３８を設けて構成し、装飾体３１は、一端に膨突した略球状の玉３３と、対向端部に半球部３２を形成した心棒部３６と、着脱の押し圧力を得るコイルスプリング３４と、該コイルスプリング３４と前記心棒部３６の玉３３を収納する両端に絞り部４３、４４を有する筒状の外部体３５を形成し、前記半球部３２を装飾体縁部４５の適宜位置に固着して構成し、装飾本体３０から装飾体３１を着脱可能にした。
【発明の効果】
【００１０】
本発明に係る着脱機構を有する装身具は、ペンダントやブローチ、イヤリングの装飾本体と、装飾体とを別個の構成体として、両者の着脱をコイルスプリングの押し圧力にて容易に行えることが可能となった。そして、コイルスプリングによって外れない方向に押し圧力を与えている装飾体に、上方向に押し上げる外力を加えない限り装飾体を取り外すことが出来ないため、装飾体の脱落の危険性を回避しつつ、装飾体を装着者自信が容易に着脱を行うことが可能であり、そして、装飾本体を単体にて使用しても美観が損なわれること無く使用できる。
【００１１】
さらにペンダントに用いた装飾体をブローチ等の装飾本体に容易に取り付けることができ、装飾本体の各種（ペンダント、プローチ、イヤリング）と装飾体の各種の宝石を組合わせることによって趣味性に富んだ装身具が得られ、高価な宝石類の有効利用が図れ、デザイン上のワンポイントを付加できるばかりか、装身具としての利用価値を著しく高めることができる。
【発明を実施するための最良の形態】
【００１２】
以下、図面を用いて本発明の実施形態を詳細に説明する。
【実施例１】
【００１３】
図１、本発明の装飾本体１に装飾体２を結合した請求項１に係わる装身具２０の一実施例を示す正面図であって、装飾本体１の表面には大きさの異なる宝石１３、１３ａを石留めにて施し、装飾体２には宝玉３を固着したものを用いた。
【００１４】
図２は、前記装身具２０の装飾本体１から装飾体２を取り外した装飾体２を示し、製作過程として、外部体６の基となるパイプ材を任意の長さに切断し、該パイプ材の一端を絞り加工にて絞り部１７を形成し、一端に膨突した略球状の玉４を形成した心棒部８に、内径が玉４より小径のコイルスプリング５を挿入した心棒部８を、玉４方向より前記パイプ材の対向端部より挿入、該パイプ部材の端部を絞り加工にて絞り部１６を形成させることにより、コイルスプリング５と、前記心棒部８の玉４部分を収納した両端に絞り部１６、１７を有する筒状の外部体６を形成させた。それにより、前記心棒部８の玉４がコイルスプリング５の押し圧力にて絞り部１７の方向に力が働く機構とした。そして、外部体６から飛び出ている心棒部８の他端に貫通孔を有する中空の玉７を挿入し、ロー付け等により固着、また、前記外部体６を、孔を有する宝玉３に挿入し、接着剤にて固着して装飾体２を構成させた。以上の製作過程にて心棒部８がコイルスプリング５にて弾性が得られる装飾体１とした。  
【００１５】
図３は、図１の装飾本体１に装飾体２を結合した装身具２０の背面図であり、背面周縁部１２の適宜位置２カ所に装飾体２を着脱可能とした着脱機構を示し、装飾本体１の製作過程として、背面周縁部１２の適宜位置に装飾体１の心棒部８が通る切り欠き部９を設け、該切り欠き部９の入り口に装飾体２を結合し易くするための逃がし部１８を設け、また、切り欠き部９の上側途中に装飾体１の玉７を受ける座１０と、下側途中に外部体６の絞り部１６を受ける座１１を設けて構成、装飾本体１は、ロストワックス鋳造法を用いて製作した。
【００１６】
装飾本体１に装飾体２を結合する場合は、外部体６の絞り部１６と、心棒部８の玉７とが隣接している箇所を、切り欠き部９の入り口に設けた逃がし部１８の角度に傾けて押し込むことにより、心棒部８に設けた玉７が外部体６に収納してあるコイルスプリング５の弾性にて開き、更に押し込むことにより、弾性にて外部体６の絞り部１６が座１１と、心棒部８の玉７が座１０と嵌合することにより、装飾本体１に装飾体２を容易に結合できる。
【００１７】
装飾本体１から装飾体２を取り外す場合は、装飾体２を手前側に引いて上方向に押し上げることにより、心棒部８に設けた玉７がコイルスプリング５の弾性にて開き、外部体６の絞り部１６が座１１から、心棒部８の玉７が座１０から外れ、装飾本体１から装飾体２を取り外すことができる。
【００１８】
本発明の請求項１に係わる実施例として、図５に示す装飾本体１の背面周縁部１２の適宜位置２カ所に装飾体２を着脱可能とした切り欠き部９と、逃がし部１８と、玉７を受ける座１０と、絞り部１６を受ける座１１、以上の構成からからなる機構を設けることにより着用者がその時の雰囲気にてペンダント用、ブローチ用として装飾体１の取り付け位置を変えられる装身具２０とした。
【実施例２】
【００１９】
図７は、本発明の装飾本体３０に装飾体３１を結合した請求項２に係わる装身具５０の一実施例を示す正面図であり、図８は、装飾本体３０から装飾体３１を取り外して示した正面図である。
【００２０】
図９は、図８を基に装身具５０のデザイン部を切り欠いて表し、図９（ａ）は、装飾本体３０から装飾体３１を取り外して示した背面の概念図であり、着脱機構を有した装飾本体３０の製作過程として、背面周縁部４０の適宜位置に装飾体３１の心棒部３６が通る切り欠き部３７を設け、該切り欠き部３７の上側途中に装飾体３１の外部体３５の絞り部４３を受ける座３８と、該切り欠き部３７の下側途中に半球部３２を受ける座３９を設けて構成、装飾本体３０は、ロストワックス鋳造法を用いて製作した。
【００２１】
図９（ｂ）の装飾体３１の製作過程として、外部体３５の基となるパイプ材を任意の長さに切断し、該パイプ材の一端を絞り加工にて絞り部４４を形成し、一端に膨突した略球状の玉３３を形成させた心棒部３６に、内径が玉３３より小径のコイルスプリング３４を挿入した心棒部３６を、玉３３方向より前記パイプ材の対向端部より挿入、該パイプ部材の端部を絞り加工にて絞り部４４を形成させることにより、コイルスプリング３４と前記心棒部３６の玉３３部分を収納した両端に絞り部４３、４４を有する筒状の外部体３５を形成した。それにより、前記心棒部３６の玉３３がコイルスプリング３４の押し圧力にて絞り部４４の方向に力が働く機構とした。そして、外部体３５から飛び出ている心棒部３６の他端に貫通する孔を有する半球を挿入し、ロー付け等により固着して半球部３２を形成、該半球部３２を更に装飾体縁部４５の適宜位置にロー付けにて固着して構成、以上の製作過程にて外部体３５がコイルスプリング３４にて弾性が得られる装飾体３１とした。  
【００２２】
装飾本体３０に装飾体３１を結合する場合は、外部体３５の絞り部４３と、心棒部３６の半球部３２とが隣接している箇所を、切り欠き部３７の入り口に押し込むことにより、外部体３５が該外部体３５に収納してあるコイルスプリング３４の弾性にて開き、更に押し込むことにより、弾性にて外部体３５の絞り部４３が座３８と、心棒部３６の半球部３２が座３９と嵌合することにより、装飾本体３０に装飾体３１を容易に結合できる。
【００２３】
装飾本体３０から装飾体３１を取り外す場合は、装飾体３１を手前側に引いて上方向に押し上げることにより、外部体３５が該外部体３５に収納してあるコイルスプリング３４の弾性にて開き、外部体３５の絞り部４３が座３８から、心棒部３６の半球部３２が座３９から外れ、装飾本体３０から装飾体３１を取り外すことができる。
【図面の簡単な説明】
【００２４】
【図１】請求項１に係わる着脱機構を有する装身具の一実形態を示す正面図である。
【図２】本発明の着脱機構を有する装飾体の一実形態を示す拡大正面図である。
【図３】図１の背面図である。
【図４】図３Ａ−Ａ線断面図である。
【図５】請求項１に係わる第２形態の使用方法を示す背面図である。
【図６】図５Ａ−Ａ線断面図である。
【図７】請求項２に係わる着脱機構を有する装身具の一実形態を示す正面図である。
【図８】図７装身具の装飾本体から装飾体を取り外した概念図である。
【図９】図８装身具のデザイン部を切り欠いた背面の概念図である。
【図１０】図９の装飾本体と装飾体を結合した背面の概念図である。
【符号の説明】
【００２５】
１    装飾本体
２    装飾体
３    宝玉
４    玉
５    コイルスプリング
６    外部体
７    玉
８    心棒部
９    切り欠き部
１０    玉を受ける座
１１    外部体を受ける座
１２    背面周縁部
１３    宝石
１３ａ  宝石
１４    孔
１５    バチカン部
１６    絞り部
１７    絞り部
１８    逃がし部
２０    装身具
３０    装飾本体
３１    装飾体
３２    半球部
３３    玉
３４    コイルスプリング
３５    外部体
３６    心棒部
３７    切り欠き部
３８    外部体を受ける座
３９    半球部を受ける座
４０    背面周縁部
４１    宝石
４１ａ  宝石
４２    バチカン部
４３    絞り部
４４    絞り部
４５    装飾体縁部
５０    装身具
【図１】
2005152495.tif 000003
【図２】
2005152495.tif 000004
【図３】
2005152495.tif 000005
【図４】
2005152495.tif 000006
【図５】
2005152495.tif 000007
【図６】
2005152495.tif 000008
【図７】
2005152495.tif 000009
【図８】
2005152495.tif 000010
【図９】
2005152495.tif 000011
【図１０】
2005152495.tif 000012